【手続補正書】
【提出日】平成16年7月8日(2004.7.8)
【手続補正１】
【補正対象書類名】明細書
【補正対象項目名】発明の名称
【補正方法】変更
【補正の内容】
【発明の名称】画像処理装置、画像処理方法、コンピュータ読み取り可能な記憶媒体、及びコンピュータプログラム
【手続補正２】
【補正対象書類名】明細書
【補正対象項目名】特許請求の範囲
【補正方法】変更
【補正の内容】
【特許請求の範囲】
【請求項１】
撮影画像に画像補正処理を施す画像処理装置であって、
前記撮影画像及び撮像条件を有する画像情報を取得する画像情報取得手段と、
前記撮影条件を解析する撮影条件解析手段と、
前記撮影画像を解析する撮影画像解析手段と、
前記撮影条件の解析結果及び前記撮影画像の解析結果に基づいて、前記撮影画像に画像補正処理を実施する画像補正処理手段とを備えることを特徴とする画像処理装置。
【請求項２】
前記撮影条件が、前記撮影画像取得時の露出に関する撮影情報を含んでおり、前記撮影条件解析手段において、前記露出に関する撮影情報が自動露出に関する情報を含むと解析された場合には、前記画像補正処理手段は、前記撮影条件解析手段における前記撮影条件の解析結果と、前記撮影画像解析手段における明るさに関する解析結果とに基づく明るさ補正アルゴリズムを選択して、その明るさ補正アルゴリズムを含む画像補正処理を実施し、前記撮影条件解析手段において、前記露出に関する撮影情報がマニュアル露出に関する情報を含むと解析された場合には、前記画像補正処理手段は、前記明るさ補正アルゴリズムを含まない画像補正処理を実施することを特徴とする請求項１に記載の画像処理装置。
【請求項３】
前記撮影条件が、前記撮影画像取得時のストロボに関する撮影情報を含んでおり、前記撮影条件解析手段において、前記ストロボに関する撮影情報がストロボの発光に関する情報を含むと解析された場合には、前記画像補正処理手段は、前記撮影条件解析手段における前記撮影条件の解析結果と、前記撮影画像解析手段におけるコントラストに関する解析結果とに基づくコントラスト補正アルゴリズムを選択して、そのコントラスト補正アルゴリズムを含む画像補正処理を実施し、前記撮影条件解析手段において、前記ストロボに関する撮影情報が、前記ストロボが非発光であることを示す情報を含むと解析された場合には、前記画像補正処理手段は、前記コントラスト補正アルゴリズムを含まない画像補正処理を実施することを特徴とする請求項１に記載の画像処理装置。
【請求項４】
前記撮影条件が、前記撮影画像取得時のホワイトバランスに関する撮影情報を含んでおり、前記撮影条件解析手段において、前記ホワイトバランスに関する撮影情報が自動ホワイトバランスに関する情報を含むと解析された場合には、前記画像補正処理手段は、前記撮影条件解析手段における前記撮影条件の解析結果と、前記撮影画像解析手段におけるカラーバランスに関する解析結果とに基づくカラーバランス補正アルゴリズムを選択して、そのカラーバランス補正アルゴリズムを含む画像補正処理を実施し、前記撮影条件解析手段において、前記ホワイトバランスに関する撮影情報がマニュアルホワイトバランスに関する情報を含むと解析された場合には、前記画像補正処理手段は、前記カラーバランス補正アルゴリズムを含まない画像補正処理を実施することを特徴とする請求項１に記載の画像処理装置。
【請求項５】
前記撮影条件が、前記撮影画像取得時の露出、ストロボ、及びホワイトバランスに関する撮影情報のうちの２つ以上を含み、
前記撮影条件が、前記露出に関する撮影情報を含んでおり、前記撮影条件解析手段において、前記露出に関する撮影情報が自動露出に関する情報を含むと解析された場合には、前記画像補正処理手段は、前記撮影条件解析手段における前記撮影条件の解析結果と、前記撮影画像解析手段における明るさに関する解析結果とに基づく明るさ補正アルゴリズムを選択して、その明るさ補正アルゴリズムを含む画像補正処理を実施し、
前記撮影条件が、前記ストロボに関する撮影情報を含んでおり、前記撮影条件解析手段において、前記ストロボに関する撮影情報がストロボの発光に関する情報を含むと解析された場合には、前記画像補正処理手段は、前記撮影条件解析手段における前記撮影条件の解析結果と、前記撮影画像解析手段におけるコントラストに関する解析結果とに基づくコントラスト補正アルゴリズムを選択して、そのコントラスト補正アルゴリズムを含む画像補正処理を実施し、
前記撮影条件が、前記ホワイトバランスに関する撮影情報を含んでおり、前記撮影条件解析手段において、前記ホワイトバランスに関する撮影情報が自動ホワイトバランスに関する情報を含むと解析された場合には、前記画像補正手段は、前記撮影画像解析手段における前記撮影条件の解析結果と、前記撮影画像解析手段におけるカラーバランスに関する解析結果とに基づくカラーバランス補正アルゴリズムを選択して、そのカラーバランス補正アルゴリズムを含む画像補正処理を実施し、
前記撮影条件が、前記露出に関する撮影情報を含んでおり、前記撮影条件解析手段において、前記露出に関する撮影情報がマニュアル露出に関する情報を含むと解析された場合と、前記撮影条件が、前記ストロボに関する撮影情報を含んでおり、前記撮影条件解析手段において、前記ストロボに関する撮影情報が、前記ストロボが非発光であることを示す情報を含むと解析された場合と、前記撮影条件が、前記ホワイトバランスに関する撮影情報を含んでおり、前記撮影条件解析手段において、前記ホワイトバランスに関する撮影情報がマニュアルホワイトバランスに関する情報を含むと解析された場合とのうちの少なくとも１つの場合には、前記画像補正処理手段は、前記明るさ補正アルゴリズム、前記コントラスト補正アルゴリズム、前記カラーバランス補正アルゴリズムのうち前記撮影条件に含まれる撮影情報に対応する補正アルゴリズムのうちの少なくとも１つの補正アルゴリズムを含まない画像補正処理を実施することを特徴とする請求項１に記載の画像処理装置。
【請求項６】
前記撮影条件が、前記撮影画像取得時の撮影モードに関する撮影情報を含んでおり、前記撮影条件解析手段において、前記撮影モードに関する撮影情報が標準モードに関する情報であると解析された場合には、前記画像補正処理手段は、前記撮影条件解析手段における前記撮影条件の解析結果と、前記撮影画像解析手段における前記撮影画像の解析結果とに基づく自動画像補正アルゴリズムを選択して、前記自動画像補正アルゴリズムを含む画像補正処理を実施し、前記撮影条件解析手段において、前記撮影モードに関する撮影情報が風景モードに関する情報であると解析された場合には、前記画像補正処理手段は、前記撮影条件解析手段における前記撮影条件の解析結果と、前記撮影画像解析手段における前記撮影画像の解析結果とに基づく自動画像補正アルゴリズムよりも彩度が高くなる補正アルゴリズムを選択して、その補正アルゴリズムを含む画像補正処理を実施し、前記撮影条件解析手段において、前記撮影モードに関する撮影情報が人物モードに関する情報であると解析された場合には、前記画像補正処理手段は、前記撮影条件解析手段における前記撮影条件の解析結果と、前記撮影画像解析手段における前記撮影画像の解析結果とに基づく自動画像補正アルゴリズムよりも肌色を適正化する補正アルゴリズムを選択して、その補正アルゴリズムを含む画像補正処理を実施することを特徴とする請求項１に記載の画像処理装置。
【請求項７】
前記画像補正処理手段における前記画像補正処理の実施タイミングにおいて、前記撮影条件を表示する撮影条件表示手段を備えることを特徴とする請求項１〜６の何れか１項に記載の画像処理装置。
【請求項８】
前記撮影画像解析手段は、前記撮影画像の輝度値及び輝度分布を解析することを特徴とする請求項１〜７の何れか１項に記載の画像処理装置。
【請求項９】
前記画像補正処理手段で補正された撮影画像を印刷処理する印刷処理手段を備えることを特徴とする請求項１〜８の何れか１項に記載の画像処理装置。
【請求項１０】
撮影画像に画像補正処理を施す画像処理方法であって、
前記撮影画像及び撮像条件を有する画像情報を取得する画像情報取得ステップと、
前記撮影条件を解析する撮影条件解析ステップと、
前記撮影画像を解析する撮影画像解析ステップと、
前記撮影条件の解析結果及び前記撮影画像の解析結果に基づいて、前記撮影画像に画像補正処理を実施する画像補正処理ステップとを備えることを特徴とする画像処理方法。
【請求項１１】
前記撮影条件が、前記撮影画像取得時の露出に関する撮影情報を含んでおり、前記撮影条件解析ステップにおいて、前記露出に関する撮影情報が自動露出に関する情報を含むと解析された場合には、前記画像補正処理ステップは、前記撮影条件解析ステップにおける前記撮影条件の解析結果と、前記撮影画像解析ステップにおける明るさに関する解析結果とに基づく明るさ補正アルゴリズムを選択して、その明るさ補正アルゴリズムを含む画像補正処理を実施し、前記撮影条件解析ステップにおいて、前記露出に関する撮影情報がマニュアル露出に関する情報を含むと解析された場合には、前記画像補正処理ステップは、前記明るさ補正アルゴリズムを含まない画像補正処理を実施することを特徴とする請求項１０に記載の画像処理方法。
【請求項１２】
前記撮影条件が、前記撮影画像取得時のストロボに関する撮影情報を含んでおり、前記撮影条件解析ステップにおいて、前記ストロボに関する撮影情報がストロボの発光に関する情報を含むと解析された場合には、前記画像補正処理ステップは、前記撮影条件解析ステップにおける前記撮影条件の解析結果と、前記撮影画像解析ステップにおけるコントラストに関する解析結果とに基づくコントラスト補正アルゴリズムを選択して、そのコントラスト補正アルゴリズムを含む画像補正処理を実施し、前記撮影条件解析ステップにおいて、前記ストロボに関する撮影情報が、前記ストロボが非発光であることを示す情報を含むと解析された場合には、前記画像補正処理ステップは、前記コントラスト補正アルゴリズムを含まない画像補正処理を実施することを特徴とする請求項１０に記載の画像処理方法。
【請求項１３】
前記撮影条件が、前記撮影画像取得時のホワイトバランスに関する撮影情報を含んでおり、前記撮影条件解析ステップにおいて、前記ホワイトバランスに関する撮影情報が自動ホワイトバランスに関する情報を含むと解析された場合には、前記画像補正処理ステップは、前記撮影条件解析ステップにおける前記撮影条件の解析結果と、前記撮影画像解析ステップにおけるカラーバランスに関する解析結果とに基づくカラーバランス補正アルゴリズムを選択して、そのカラーバランス補正アルゴリズムを含む画像補正処理を実施し、前記撮影条件解析ステップにおいて、前記ホワイトバランスに関する撮影情報がマニュアルホワイトバランスに関する情報を含むと解析された場合には、前記画像補正処理ステップは、前記カラーバランス補正アルゴリズムを含まない画像補正処理を実施することを特徴とする請求項１０に記載の画像処理方法。
【請求項１４】
前記撮影条件が、前記撮影画像取得時の露出、ストロボ、及びホワイトバランスに関する撮影情報のうちの２つ以上を含み、
前記撮影条件が、前記露出に関する撮影情報を含んでおり、前記撮影条件解析ステップにおいて、前記露出に関する撮影情報が自動露出に関する情報を含むと解析された場合には、前記画像補正処理ステップは、前記撮影条件解析ステップにおける前記撮影条件の解析結果と、前記撮影画像解析ステップにおける明るさに関する解析結果とに基づく明るさ補正アルゴリズムを選択して、その明るさ補正アルゴリズムを含む画像補正処理を実施し、
前記撮影条件が、前記ストロボに関する撮影情報を含んでおり、前記撮影条件解析ステップにおいて、前記ストロボに関する撮影情報がストロボの発光に関する情報を含むと解析された場合には、前記画像補正処理ステップは、前記撮影条件解析ステップにおける前記撮影条件の解析結果と、前記撮影画像解析ステップにおけるコントラストに関する解析結果とに基づくコントラスト補正アルゴリズムを選択して、そのコントラスト補正アルゴリズムを含む画像補正処理を実施し、
前記撮影条件が、前記ホワイトバランスに関する撮影情報を含んでおり、前記撮影条件解析ステップにおいて、前記ホワイトバランスに関する撮影情報が自動ホワイトバランスに関する情報を含むと解析された場合には、前記画像補正ステップは、前記撮影画像解析ステップにおける前記撮影条件の解析結果と、前記撮影画像解析ステップにおけるカラーバランスに関する解析結果とに基づくカラーバランス補正アルゴリズムを選択して、そのカラーバランス補正アルゴリズムを含む画像補正処理を実施し、
前記撮影条件が、前記露出に関する撮影情報を含んでおり、前記撮影条件解析ステップにおいて、前記露出に関する撮影情報がマニュアル露出に関する情報を含むと解析された場合と、前記撮影条件が、前記ストロボに関する撮影情報を含んでおり、前記撮影条件解析ステップにおいて、前記ストロボに関する撮影情報が、前記ストロボが非発光であることを示す情報を含むと解析された場合と、前記撮影条件が、前記ホワイトバランスに関する撮影情報を含んでおり、前記撮影条件解析ステップにおいて、前記ホワイトバランスに関する撮影情報がマニュアルホワイトバランスに関する情報を含むと解析された場合とのうちの少なくとも１つの場合には、前記画像補正処理ステップは、前記明るさ補正アルゴリズム、前記コントラスト補正アルゴリズム、前記カラーバランス補正アルゴリズムのうち前記撮影条件に含まれる撮影情報に対応する補正アルゴリズムのうちの少なくとも１つの補正アルゴリズムを含まない画像補正処理を実施することを特徴とする請求項１０に記載の画像処理方法。
【請求項１５】
前記撮影条件が、前記撮影画像取得時の撮影モードに関する撮影情報を含んでおり、前記撮影条件解析ステップにおいて、前記撮影モードに関する撮影情報が標準モードに関する情報であると解析された場合には、前記画像補正処理ステップは、前記撮影条件解析ステップにおける前記撮影条件の解析結果と、前記撮影画像解析ステップにおける前記撮影画像の解析結果とに基づく自動画像補正アルゴリズムを選択して、前記自動画像補正アルゴリズムを含む画像補正処理を実施し、前記撮影条件解析ステップにおいて、前記撮影モードに関する撮影情報が風景モードに関する情報であると解析された場合には、前記画像補正処理ステップは、前記撮影条件解析ステップにおける前記撮影条件の解析結果と、前記撮影画像解析ステップにおける前記撮影画像の解析結果とに基づく自動画像補正アルゴリズムよりも彩度が高くなる補正アルゴリズムを選択して、その補正アルゴリズムを含む画像補正処理を実施し、前記撮影条件解析ステップにおいて、前記撮影モードに関する撮影情報が人物モードに関する情報であると解析された場合には、前記画像補正処理ステップは、前記撮影条件解析ステップにおける前記撮影条件の解析結果と、前記撮影画像解析ステップにおける前記撮影画像の解析結果とに基づく自動画像補正アルゴリズムよりも肌色を適正化する補正アルゴリズムを選択して、その補正アルゴリズムを含む画像補正処理を実施することを特徴とする請求項１０に記載の画像処理方法。
【請求項１６】
前記画像補正処理ステップにおける前記画像補正処理の実施タイミングにおいて、前記撮影条件を表示する撮影条件表示ステップを備えることを特徴とする請求項１０〜１５の何れか１項に記載の画像処理方法。
【請求項１７】
前記撮影画像解析ステップは、前記撮影画像の輝度値及び輝度分布を解析することを特徴とする請求項１０〜１６の何れか１項に記載の画像処理方法。
【請求項１８】
前記画像補正処理ステップで補正された撮影画像を印刷処理する印刷処理ステップを備えることを特徴とする請求項１０〜１７の何れか１項に記載の画像処理方法。
【請求項１９】
前記請求項１０〜１８の何れか１項に記載の画像処理方法の処理ステップをコンピュータに実行させるためのコンピュータプログラムを記録したことを特徴とするコンピュータ読み取り可能な記憶媒体。
【請求項２０】
前記請求項１０〜１８の何れか１項に記載の画像処理方法の処理ステップをコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、画像処理装置、画像処理方法、コンピュータ読み取り可能な記憶媒体、及びコンピュータプログラムに関し、特に撮影画像を処理するために用いて好適なものである。
【手続補正４】
【補正対象書類名】明細書
【補正対象項目名】００１６
【補正方法】変更
【補正の内容】
【００１６】
そこで、本発明は、上記の欠点を除去するために成されたもので、常に良好な処理後画像を提供できるようにすることを目的とする。
【手続補正５】
【補正対象書類名】明細書
【補正対象項目名】００１７
【補正方法】変更
【補正の内容】
【００１７】
【課題を解決するための手段】
本発明の画像処理装置は、撮影画像に画像補正処理を施す画像処理装置であって、前記撮影画像及び撮像条件を有する画像情報を取得する画像情報取得手段と、前記撮影条件を解析する撮影条件解析手段と、前記撮影画像を解析する撮影画像解析手段と、前記撮影条件の解析結果及び前記撮影画像の解析結果に基づいて、前記撮影画像に画像補正処理を実施する画像補正処理手段とを備えることを特徴とする。
【手続補正６】
【補正対象書類名】明細書
【補正対象項目名】００１８
【補正方法】変更
【補正の内容】
【００１８】
本発明の画像処理方法は、撮影画像に画像補正処理を施す画像処理方法であって、前記撮影画像及び撮像条件を有する画像情報を取得する画像情報取得ステップと、前記撮影条件を解析する撮影条件解析ステップと、前記撮影画像を解析する撮影画像解析ステップと、前記撮影条件の解析結果及び前記撮影画像の解析結果に基づいて、前記撮影画像に画像補正処理を実施する画像補正処理ステップとを備えることを特徴とする。
【手続補正７】
【補正対象書類名】明細書
【補正対象項目名】００１９
【補正方法】変更
【補正の内容】
【００１９】
本発明のコンピュータ読み取り可能な記憶媒体は、前記記載の画像処理方法の処理ステップをコンピュータに実行させるためのコンピュータプログラムを記録したことを特徴とする。
本発明のコンピュータプログラムは、前記記載の画像処理方法の処理ステップをコンピュータに実行させることを特徴とする。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】